(57)【要約】【課題】  乗員足下の温度を考慮した乗員の温感に合う空調制御を行う。【解決手段】  車両用空調装置は、空気を温度調節してこの温度調節された空気を吹出口１００ａ〜１００ｄ等から吹き出すことにより、例えば、車室内の空気温度等の空調状態を調整する空調ユニット５と、車室内上側に配置されて、車室内の運転座席に着座する運転者の表面温度を複数部位に分割してそれぞれ非接触で検出する各検出素子Ｒ１〜Ｒ３６を有する赤外線温度センサ８４と、赤外線温度センサ８４による複数部位の検出温度に基づき、車室内の空調状態を調整させるように空調ユニット５を制御するエアコンＥＣＵ９０と、を備える。これにより、赤外線温度センサ８４が車室内上側に配置されているので、運転者足下をも温度検出することが可能になる。【選択図】        図１
2005104221.tif 000002
【特許請求の範囲】
【請求項１】
車室内の空調状態を調整する空調手段（５）と、
前記車室内の座席に着座する乗員の表面温度を複数部位に分割してそれぞれ非接触で検出する各検出素子（Ｒ１〜Ｒ３６）を有する非接触温度センサ（８４）と、
前記非接触温度センサによる複数部位の検出温度に基づき、前記車室内の空調状態を調整させるように前記空調手段を制御する制御手段（９０）と、を備えており、
前記非接触温度センサは、前記車室内上側に配置されていることを特徴とする車両用空調装置。
【請求項２】
前記車室内の前側に配置されて、前記乗員の画像を検出する画像検出手段（８５）を備えており、
前記制御手段は、前記画像検出手段による検出画像および前記非接触温度センサによる複数部位の検出温度に応じて、前記車室内の空調状態を調整させるように前記空調手段を制御することを特徴とする請求項１に記載の車両用空調装置。
【請求項３】
車室内の空調状態を調整する空調手段（５）と、
前記車室内の座席に着座する乗員の表面温度を複数部位に分割してそれぞれ非接触で検出する各検出素子（Ｒ１〜Ｒ３６）を有する非接触温度センサ（８４）と、
前記非接触温度センサによりも前側に配置されて、前記乗員の画像を検出する画像検出手段（８５）と、
前記画像検出手段による検出画像および前記非接触温度センサによる複数部位の検出温度に基づき、前記車室内の空調状態を調整させるように前記空調手段を制御する制御手段（９０）と、
を備えることを特徴とする車両用空調装置。
【請求項４】
前記制御手段は、前記画像検出手段による検出画像および前記非接触温度センサによる複数部位の検出温度に応じて、前記乗員の部位毎の表面温度を抽出して、この抽出される部位毎の表面温度に基づき前記車室内の空調状態を調整させるように前記空調手段を制御することを特徴とする請求項３に記載の車両用空調装置。
【請求項５】
前記空調手段は、複数の吹出口のうちいずれかの吹出口から空調風を吹き出すことにより、前記車室内の空調状態を調整するものであり、
前記制御手段は、前記画像検出手段による検出画像および前記非接触温度センサによる複数部位の検出温度に応じて、前記複数の吹出口のうち前記空調風を吹き出す吹出口を選択して、この選択された吹出口から空調風を吹き出させるように前記空調手段を制御することを特徴とする請求項４に記載の車両用空調装置。
【請求項６】
車室内の後部座席側の空調状態を調整する空調手段（５）と、
前記後部座席に着座する乗員の表面温度を非接触で検出するための非接触温度センサ（８４）と、
前記非接触温度センサにより検出される温度に基づき、前記後部座席側の空調状態を調整させるように前記空調手段を制御する制御手段（９０）と、を備え、
前記非接触温度センサは、前記乗員の上側に配置されているものであることを特徴とする車両用空調装置。
【請求項７】
前記非接触温度センサは、車両左右方向のほぼ中央部に配置されていることを特徴とする請求項１ないし６のいずれか１つに記載の車両用空調装置。
【請求項８】
前記画像検出手段は、車両左右方向のほぼ中央部にて配置されていることを特徴とする請求項１ないし６いずれか１つに記載の車両用空調装置。
【請求項９】
前記非接触温度センサは、前記後部座席に着座する乗員を含む領域の表面温度を複数箇所に分割してそれぞれ非接触で検出する複数の検出素子を有するものであり、
前記後部座席は位置を調節可能に構成されたものであり、
前記後部座席の位置を検出する位置検出手段（ＳＷ１、ＳＷ２）を備えており、
前記制御手段は、
前記検出される後部座席の位置に基づき、前記複数の検出素子のそれぞれの検出温度のうち乗員の表面温度を示す検出温度を選択して、この選択された検出温度に基づき、前記後部座席側の空調状態を調整させるように前記空調手段を制御することを特徴とする請求項６に記載の車両用空調装置。
【請求項１０】
車室内の空調状態を調整する空調手段（５）と、
前記車室内の座席に着座する乗員の表面温度を複数部位に分割してそれぞれ非接触で検出する各検出素子（Ｒ１〜Ｒ３６）を有する非接触温度センサ（８４）と、
前記乗員の車両前側から前記乗員の画像を検出する画像検出手段（８５）と、
前記画像検出手段により検出される画像から前記乗員の輪郭を抽出して、この抽出された輪郭に前記非接触温度センサによる検出素子毎の検出温度を合成して前記乗員の上半身および下半身の温度分布を求め、この求められた上半身および下半身の温度分布に基づき、前記車室内の空調状態を調整させるように前記空調手段を制御する制御手段（９０、Ｓ１００〜Ｓ１７０、Ｓ２２０、Ｓ２３０、Ｓ３１０）と、を備えており、
前記非接触温度センサは、前記乗員を見下ろすように配置されていることを特徴とする記載の車両用空調装置。
【請求項１１】
前記非接触温度センサは、前記各検出素子により、運転座席に着座する運転者の表面温度を複数部位に分割してそれぞれ非接触で検出するものであって、
前記非接触温度センサは、ステアリングよりも上側で、かつ、前記運転座席の車両左右方向の中央部側に配置されていることを特徴とする請求項１０に記載の車両用空調装置。
【請求項１２】
前記画像検出手段は、車両左右方向の中央部に配置されていることを特徴とする請求項１１に記載の車両用空調装置。
【請求項１３】
前記画像検出手段は、前記上半身の画像だけを検出するものであり、
前記制御手段は、
前記乗員の輪郭に前記検出素子毎の検出温度を合成して前記乗員の上半身の温度を求めるとともに、前記画像検出手段及び前記非接触温度センサの配置関係および前記検出素子毎の検出温度だけに応じて、前記各検出素子のうち前記下半身の温度を検出する検出素子を推定し、この推定される検出素子の検出温度を前記下半身の温度とすることを特徴とする請求項１０ないし１２のいずれか１つに記載の車両用空調装置。
【請求項１４】
前記空調手段は、前記乗員の足に冷風を吹き出し可能になっており、
前記制御手段は、
前記求められる上半身の温度に比べて前記下半身の温度の方が高いと判定したとき、前記空調手段によって前記下半身に冷風を吹き出させることを特徴とする請求項１３に記載の車両用空調装置。
【請求項１５】
前記制御手段は、
車室外の空気温度を検出する外気温センサ（８１）からの検出出力に応じて、前記車室外の空気温度が一定温度以上であると判定して、かつ、前記上半身温度に比べて前記推定される乗員下半身の温度の方が高いと判定したとき、前記空調手段によって前記下半身に冷風を吹き出させることを特徴とする請求項１４に記載の車両用空調装置。
【請求項１６】
前記空調手段は、前記乗員の車両ドア側に冷風を吹き出し可能になっており、
前記制御手段（Ｓ２３０、Ｓ２７０、Ｓ２８０）は、
前記抽出された乗員の輪郭に前記検出素子毎の検出温度を合成して前記乗員のうち、ドア側の表面温度および車両中央部側の表面温度を求めるとともに、この求められたドア側の表面温度の方が、前記車両中央部側の表面温度に比べて高いと判定したとき、前記空調手段により乗員の車両ドア側に冷風を吹き出させることを特徴とする請求項１ないし４のいずれか１つに記載の車両用空調装置。
【請求項１７】
前記制御手段（Ｓ２２０、Ｓ２５０、Ｓ２６０）は、
前記抽出された乗員の輪郭に前記検出素子毎の検出温度を合成して前記乗員の上腕部の表面温度、下腕部の表面温度を求めると共に、この求められた上腕部の表面温度と前記下腕部の表面温度とを比較して、前記乗員が半袖の服を着衣していると判定したとき、前記非接触温度センサによる検出素子毎の検出温度を前記半袖の服に合うように補正して、この補正された検出素子毎の検出温度を前記乗員の表面温度とすることを特徴とする請求項１０ないし１６のいずれか１つに記載の車両用空調装置。
【請求項１８】
前記制御手段（Ｓ２６０）は、前記非接触温度センサによる検出素子毎の検出温度から所定温度低い温度を、検出素子毎の検出温度を前記半袖の服に合うように補正した温度として設定することを特徴とする請求項１７に記載の車両用空調装置。
【請求項１９】
車室内の後部座席側の空調状態を調整する空調手段（５）と、
前記後部座席に着座する後部乗員の表面温度を複数部位に分割してそれぞれ非接触で検出する各検出素子（Ｒ１〜Ｒ３６）を有する非接触温度センサ（８４）と、前記非接触温度センサにより検出される検出素子毎の検出温度に基づき、前記後部座席側の空調状態を調整させるように前記空調手段を制御する制御手段（９０）と、を備え、
前記非接触温度センサは、前記乗員の車両左右方向中央部側から前記後部乗員を見下して温度検出するように配置されていることを特徴とする車両用空調装置。
【請求項２０】
前記非接触温度センサは、前記車室内の天井部のうち前記乗員の車両左右方向中央部側に配置されていることを特徴とする請求項１９に記載の車両用空調装置。
【請求項２１】
前記後部座席は前後方向の位置を調節可能に構成されたものであり、
前記後部座席の前後方向の位置を検出する位置検出手段（ＳＷ１、ＳＷ２）を備えており、
前記制御手段は、
前記位置検出手段により検出される後部座席の位置に基づき、前記複数の検出素子のそれぞれの検出温度のうち乗員の肩の表面温度を示す検出温度を選択して、この選択された検出温度に基づき、前記後部座席側の空調状態を調整させるように前記空調手段を制御することを特徴とする請求項１９または２０に記載の車両用空調装置。
【発明の詳細な説明】
【技術分野】
【０００１】
本発明は、本発明は、非接触温度センサにより検される温度に基づき、車室内を空調する車両用空調装置に関する。
【背景技術】
【０００２】
従来、車室内のインストルメントパネルにて赤外線温度センサを車両後方に向けて配置し、この赤外線温度センサを用いて車室内の乗員付近の表面温度を非接触で検出し、この検出された温度に基づき、乗員付近を自動的に空調する車両用空調装置が提案されている（例えば、特許文献１参照）。
【特許文献１】特開１０−２３０７２８号公報
【発明の開示】
【発明が解決しようとする課題】
【０００３】
しかし、上述の空調装置では、赤外線温度センサを車室内のインストルメントパネルに配置しているので、赤外線温度センサにより、乗員の上半身の表面温度が検出可能なものの、インストルメントパネルにより乗員足下が隠れるので、乗員足下を表面温度検出することができない。したがって、乗員足下の温度を考慮した乗員の温感に合う空調制御を行うことができない。
【０００４】
本発明は、上記点に鑑み、乗員足下の温度を考慮した乗員の温感に合う空調制御を行うようにした車両用空調装置を提供することを目的とする。
【課題を解決するための手段】
【０００５】
上記目的を達成するため、請求項１に記載の発明では、車室内の空調状態を調整する空調手段（５）と、車室内の座席に着座する乗員の表面温度を複数部位に分割してそれぞれ非接触で検出する各検出素子（Ｒ１〜Ｒ３６）を有する非接触温度センサ（８４）と、非接触温度センサによる複数部位の検出温度に基づき、車室内の空調状態を調整させるように空調手段を制御する制御手段（９０）と、を備えており、非接触温度センサは、前記車室内上側に配置されていることを特徴とする。
【０００６】
これにより、非接触温度センサが車室内上側に配置されているので、乗員足下をも検出することが可能で、乗員足下の温度を考慮した乗員の温感に合う空調制御を行うことができる。
【０００７】
ところで、例えば、乗員の温感に合うように空調制御を行うために、乗員の部位毎の表面温度を検出しようとしても、複数の検出素子から構成される非接触温度センサを用いて、部位毎に温度検出に用いられる検出素子を決めておいても、座席の位置が何時も同じ位置に設定されているとも限らず、検出温度を乗員の部位毎に良好に求めることができない。
【０００８】
そこで、請求項２、３に記載の発明のように、乗員の画像を検出する画像検出手段（８５）を備えれば、検出温度を乗員の部位毎に良好に求めることができる。
【０００９】
これに伴い、制御手段が、画像検出手段による検出画像および非接触温度センサによる複数部位の検出温度に応じて、車室内の空調状態を調整させるように空調手段を制御すれば、部位毎の検出温度に応じて、車室内の空調状態を調整させることができる。
【００１０】
具体的には、請求項２に記載の発明では、車室内の前側に配置されて、乗員の画像を検出する画像検出手段（８５）を備えており、制御手段は、画像検出手段による検出画像および非接触温度センサによる複数部位の検出温度に応じて、車室内の空調状態を調整させるように空調手段を制御することを特徴とする。
【００１１】
また、請求項３に記載の発明では、車室内の空調状態を調整する空調手段（５）と、車室内の座席に着座する乗員の表面温度を複数部位に分割してそれぞれ非接触で検出する各検出素子（Ｒ１〜Ｒ３６）を有する非接触温度センサ（８４）と、非接触温度センサによりも前側に配置されて、乗員の画像を検出する画像検出手段（８５）と、画像検出手段による検出画像および非接触温度センサによる複数部位の検出温度に基づき、車室内の空調状態を調整させるように空調手段を制御する制御手段（９０）と、を備えることを特徴とする。
【００１２】
請求項４に記載の発明では、制御手段は、画像検出手段による検出画像および非接触温度センサによる複数部位の検出温度に応じて、乗員の部位毎の表面温度を抽出して、この抽出される部位毎の表面温度に基づき車室内の空調状態を調整させるように空調手段を制御することを特徴とする。
【００１３】
さらに、請求項５に記載の発明のように、空調手段は、複数の吹出口のうちいずれかの吹出口から空調風を吹き出すことにより、車室内の空調状態を調整するものであり、制御手段は、画像検出手段による検出画像および非接触温度センサによる複数部位の検出温度に応じて、複数の吹出口のうち空調風を吹き出す吹出口を選択して、この選択された吹出口から空調風を吹き出させるように空調手段を制御するように構成してもよい。
【００１４】
また、請求項６に記載の発明では、車室内の後部座席側の空調状態を調整する空調手段（５）と、後部座席に着座する乗員の表面温度を非接触で検出するための非接触温度センサ（８４）と、非接触温度センサにより検出される温度に基づき、後部座席側の空調状態を調整させるように空調手段を制御する制御手段（９０）と、を備え、非接触温度センサは、乗員の上側に配置されているものであることを特徴とする。
【００１５】
これにより、非接触温度センサに視野内にリア側ウインドシールドが入ることなく、乗員の表面温度を検出することができる。したがって、例えば、リア側ウインドシールドに空調風を吹き出するデフ機能のオン、オフに関わらず、乗員の表面温度を正確に検出することができる。これに伴い、乗員温度に応じて、後部座席側の空調状態を良好に調整することができる。
【００１６】
具体的には、請求項７に記載の発明のように、非接触温度センサは、車両左右方向のほぼ中央部に配置されていることを特徴とする。
【００１７】
さらに、請求項８に記載の発明のように、画像検出手段は、車両左右方向のほぼ中央部にて配置されていることを特徴とする。
【００１８】
また、請求項９に記載の発明では、非接触温度センサは、後部座席に着座する乗員を含む領域の表面温度を複数箇所に分割してそれぞれ非接触で検出する複数の検出素子を有するものであり、後部座席は位置を調節可能に構成されたものであり、後部座席の位置を検出する位置検出手段（ＳＷ１、ＳＷ２）を備えており、制御手段は、検出される後部座席の位置に基づき、複数の検出素子のそれぞれの検出温度のうち乗員の表面温度を示す検出温度を選択して、この選択された検出温度に基づき、後部座席側の空調状態を調整させるように空調手段を制御することを特徴とする。
【００１９】
これにより、後部座席の位置が調整されても、乗員の表面温度を正確に検出することができるので、乗員の表面温度に基づき後部座席側の空調状態を良好に調整することができる。
【００２０】
また、発明者らは、赤外線温度センサとして、複数の検出素子を整列して構成されるマトリックス型の温度センサを用いて、乗員の上半身および下半身の温度分布を検出して、この検出される上半身および下半身の温度分布を基に吹出口モードを変更することについて検討した。
【００２１】
この検討によれば、乗員の姿勢は、一定ではなく、姿勢が変わると、複数の検出素子が、それぞれ、乗員のいずれの部位の温度を検出しているか分からない。そこで、乗員を撮像するＣＣＤカメラを追加し、ＣＣＤカメラの検出画像を画像処理して乗員の輪郭を抽出し、この輪郭とマトリックス型の温度センサの検出温度を合成すれば、複数の検出素子が、それぞれ、乗員のいずれの部位の温度を検出しているかが識別可能になると考えた。
【００２２】
しかし、赤外線温度センサを、インストルメントパネルにて車両後方に向けて配置すると、当該赤外線温度センサでは、乗員の上半身の温度分布が検出できるものの、インストルメントパネルの下側に位置する乗員の下半身の温度分布が検出できない。
【００２３】
請求項１０に記載の発明では、車室内の空調状態を調整する空調手段（５）と、
前記車室内の座席に着座する乗員の表面温度を複数部位に分割してそれぞれ非接触で検出する各検出素子（Ｒ１〜Ｒ３６）を有する非接触温度センサ（８４）と、前記乗員の車両前側から前記乗員の画像を検出する画像検出手段（８５）と、
前記画像検出手段により検出される画像から前記乗員の輪郭を抽出して、この抽出された輪郭に前記非接触温度センサによる検出素子毎の検出温度を合成して前記乗員の上半身および下半身の温度分布を求め、この求められた上半身および下半身の温度分布に基づき、前記車室内の空調状態を調整させるように前記空調手段を制御する制御手段（９０、Ｓ１００〜Ｓ１７０、Ｓ２２０、Ｓ２３０、Ｓ３１０）と、を備えており、前記非接触温度センサは、前記乗員を見下ろすように配置されていることを特徴とする。
したがって、乗員の上半身の温度分布は勿論のこと、下半身の温度分布を検出することができ、この上半身および下半身の温度分布に合う適切な空調を行うことができる。
【００２４】
請求項１１に記載の発明では、前記非接触温度センサは、前記各検出素子により、運転座席に着座する運転者の表面温度を複数部位に分割してそれぞれ非接触で検出するものであって、前記非接触温度センサは、ステアリングよりも上側で、かつ、前記運転座席の車両左右方向の中央部側に配置されていることを特徴とする。
【００２５】
したがって、非接触温度センサが、垂直方向に対して斜めから運転者の表面温度を検出することになり、表面温度を検出するにあたり、ステアリングにより邪魔されることを未然に防ぎ得る。
【００２６】
請求項１２に記載の発明のように、画像検出手段は、車両左右方向の中央部に配置されていれば、助手席に着座する乗員や後部席に着座する乗員の画像をも１つの画像検出手段により検出可能になる。
【００２７】
具体的には、請求項１３に記載の発明のように、前記画像検出手段が、前記上半身の画像だけを検出する場合には、前記制御手段は、前記乗員の輪郭に前記検出素子毎の検出温度を合成して前記乗員の上半身の温度を求めるとともに、前記画像検出手段及び前記非接触温度センサの配置関係および前記検出素子毎の検出温度だけに応じて、前記各検出素子のうち前記下半身の温度を検出する検出素子を推定し、この推定される検出素子の検出温度を前記下半身の温度とすることが必要になる。
【００２８】
例えば、請求項１４に記載の発明のように、前記空調手段は、前記乗員の足に冷風を吹き出し可能になっており、前記制御手段は、前記求められる上半身の温度に比べて前記下半身の温度の方が高いと判定したとき、前記空調手段によって前記下半身に冷風を吹き出させるようにすれば、上半身の温度に比べて下半身の温度の方が高いときには、下半身に冷風を吹き出させるので、下半身を冷やして快適にすることができる。
【００２９】
請求項１５に記載の発明では、前記制御手段は、車室外の空気温度を検出する外気温センサ（８１）からの検出出力に応じて、前記車室外の空気温度が一定温度以上であると判定して、かつ、前記上半身温度に比べて前記推定される乗員下半身の温度の方が高いと判定したとき、前記空調手段によって前記下半身に冷風を吹き出させることを特徴とする。
【００３０】
したがって、車室外の空気温度が一定温度未満であるときには、下半身に冷風を吹き出させて下半身を冷やすことを未然に防止することができる。
【００３１】
請求項１６に記載の発明では、前記空調手段は、前記乗員の車両ドア側に冷風を吹き出し可能になっており、前記制御手段（Ｓ２３０、Ｓ２７０、Ｓ２８０）は、前記抽出された乗員の輪郭に前記検出素子毎の検出温度を合成して前記乗員のうち、ドア側の表面温度および車両中央部側の表面温度を求めるとともに、この求められたドア側の表面温度の方が、前記車両中央部側の表面温度に比べて高いと判定したとき、前記空調手段により乗員の車両ドア側に冷風を吹き出させることを特徴とする。
したがって、乗員のドア側の表面温度の方が、車両中央部側の表面温度に比べて高いとき、空調手段により乗員の車両ドア側に冷風を吹き出させることにより、乗員の車両ドア側を冷やして快適にすることができる。
【００３２】
請求項１７に記載の発明では、前記制御手段（Ｓ２２０、Ｓ２５０、Ｓ２６０）は、前記抽出された乗員の輪郭に前記検出素子毎の検出温度を合成して前記乗員の上腕部の表面温度、下腕部の表面温度を求めると共に、この求められた上腕部の表面温度と前記下腕部の表面温度とを比較して、前記乗員が半袖の服を着衣していると判定したとき、前記非接触温度センサによる検出素子毎の検出温度を前記半袖の服に合うように補正して、この補正された検出素子毎の検出温度を前記乗員の表面温度とすることを特徴とする。
【００３３】
したがって、検出素子毎の検出温度を半袖の服に合うように補正した温度に基づき、車室内の空調状態を調整させれば、半袖の服に合うように車室内の空調状態を調整させることができる。
【００３４】
例えば、請求項１８に記載の発明においては、前記制御手段（Ｓ２６０）は、前記非接触温度センサによる検出素子毎の検出温度から所定温度低い温度を、検出素子毎の検出温度を前記半袖の服に合うように補正した温度として設定してもよい。
【００３５】
ところで、発明者らは、後部座席側空間の空調を後部座席用空調装置において、後部座席に着座する後部乗員の表面温度をマトリックス型の赤外線温度センサによって検出することを検討した。
【００３６】
この検討によれば、赤外線温度センサをインストルメントパネルにて車両後方に向けて配置すると、赤外線温度センサの視野内に、リアウインドシールドが入ってしまう。このため、デフ機能が作動してリアウインドシールドの温度が上昇しているときには、赤外線温度センサとしては、後部乗員以外の表面温度を検出してしまい、赤外線温度センサの検出誤差が大きくなってしまう。
【００３７】
また、赤外線温度センサをインストルメントパネルにて車両後方に向けて配置すると、後部乗員の肩の表面温度を検出しようとしても、乗員の身長差によって、マトリックス型の赤外線温度センサのうち、肩の表面温度を検出する検出素子が代わってしまう。したがって、肩の表面温度を検出する検出素子がどの検出素子であるかが識別できない。
【００３８】
ここで、請求項１９に記載の発明では、車室内の後部座席側の空調状態を調整する空調手段（５）と、前記後部座席に着座する後部乗員の表面温度を複数部位に分割してそれぞれ非接触で検出する各検出素子（Ｒ１〜Ｒ３６）を有する非接触温度センサ（８４）と、前記非接触温度センサにより検出される検出素子毎の検出温度に基づき、前記後部座席側の空調状態を調整させるように前記空調手段を制御する制御手段（９０）と、を備え、前記非接触温度センサは、前記乗員の車両左右方向中央部側から前記後部乗員を見下して温度検出するように配置されていることを特徴とする。
【００３９】
このように、非接触温度センサは、乗員の車両左右方向中央部側から後部乗員を見下して温度検出するように配置されているので、非接触温度センサの視野内にリアウインドシールドが入らなくなる。したがって、リアウインドシールドの防曇機能が作動していても、この防曇機能が原因で非接触温度センサの検出誤差が生じなくなる。
【００４０】
また、非接触温度センサは、後部乗員を見下して温度検出するように配置されているので、後部座席の乗員の身長差に関わらず、各検出素子のうち、乗員の肩の表面温度を検出する検出素子が変わらず、固定されるので、後部座席の乗員の身長が代わっても、乗員の肩の表面温度が検出可能になる。
【００４１】
請求項２０に記載の発明のように、非接触温度センサとしては車室内の天井部のうち乗員の車両左右方向中央部側に配置することが好ましい。一方、後部座席は前後方向の位置を調節可能に構成されている場合には、後部座席は前後方向の位置によっては、乗員の肩が非接触温度センサの視野内に入らなくなる。
【００４２】
そこで、請求項２１に記載の発明では、前記後部座席は前後方向の位置を調節可能に構成されたものであり、前記後部座席の前後方向の位置を検出する位置検出手段（ＳＷ１、ＳＷ２）を備えており、前記制御手段は、前記位置検出手段により検出される後部座席の位置に基づき、前記複数の検出素子のそれぞれの検出温度のうち乗員の肩の表面温度を示す検出温度を選択して、この選択された検出温度に基づき、前記後部座席側の空調状態を調整させるように前記空調手段を制御することを特徴とする。
【００４３】
この場合、後部座席の位置に基づき、乗員の肩の表面温度を示す検出温度を選択するので、後部座席は前後方向の位置に関わらず、この選択された肩の検出温度に基づき、後部座席側の空調状態を調整することができる。
【００４４】
なお、上記各手段の括弧内の符号は、後述する実施形態に記載の具体的手段との対応関係を示すものである。
【発明を実施するための最良の形態】
【００４５】
（第１実施形態）
図１は、本発明に係る一実施形態に係る車両用空調装置の全体の概略構成を示したもので、本実施形態は、車室内のうち前席運転席側の空調ゾーンを独立して空調制御する車両用空調装置に、本発明を適用したものである。
【００４６】
当該空調装置は、インストルメントパネル内側に配置されて、前部運転席側の空調ゾーンを個別に空調する空調ユニット５を備えており、空調ユニット５は、車室内に送風するためのダクト５０を備えている。
【００４７】
ダクト５０には、車室内から内気を導入するための内気導入口５０ａ、および、車室外から外気を導入するための外気導入口５０ｂが設けられている。さらに、ダクト５０には、外気導入口５０ｂおよび内気導入口５０ａを選択的に開閉する内外気切替ドア５１が設けられており、この内外気切替ドア５１には、駆動手段としてのサーボモータ５１ａが連結されている。
【００４８】
また、ダクト５０内のうち外気導入口５０ｂおよび内気導入口５０ａの空気下流側には、車室内に向けて吹き出される空気流を発生させる遠心式送風機５２が設けられており、遠心式送風機５２は、羽根車およびこの羽根車を回転させるブロアモータ５２ａを有して構成されている。
【００４９】
さらに、ダクト５０内にて遠心式送風機５２の空気下流側には、空気を冷却する空気冷却手段としてのエバポレータ５３が設けられており、さらに、このエバポレータ５３の空気下流側には、空気加熱手段としてのヒータコア５４が設けられている。
【００５０】
ここで、ヒータコア５４の側方には、バイパス通路５１ａが形成されており、バイパス通路５１ａは、ヒータコア５４に対してエバポレータ５３により冷却された冷風をバイパスさせる。
【００５１】
また、ヒータコア５４の空気上流側には、エアミックスドア５５ａが設けられており、エアミックスドア５５ａは、その開度により、ヒータコア５４を通る空気量とバイパス通路５１ａを通る空気量との比を調整する。そして、ヒータコア５４を通る空気とバイパス通路５１ａを通る空気とが混合されることにより、空気温度が調節されることになる。なお、以下、この混合された空気を混合空気という。
【００５２】
ここで、エアミックスドア５５ａには、駆動手段としてのサーボモータ５５０ａがそれぞれ連結されており、エアミックスドア５５ａの開度は、サーボモータ５５０ａによって、それぞれ、調整される。
【００５３】
また、エバポレータ５３は、図示しないコンプレッサ、凝縮器、受液器、減圧器とともに、周知の冷凍サイクルを構成している熱交換器であり、このエバポレータ５３は、ダクト５０内を流れる空気を冷却する。
【００５４】
ここで、コンプレッサは、当該自動車のエンジンに電磁クラッチ（図示しない）を介して連結されるものであり、このコンプレッサは、電磁クラッチを断続制御することによって駆動停止制御される。
【００５５】
ヒータコア５４は、当該自動車のエンジン冷却水（温水）を熱源とする熱交換機であり、このヒータコア５４は、エバポレータ５３によって冷却された冷風を加熱する。
【００５６】
また、ダクト５０内のうちヒータコア５４の空気下流側には、ダクト３００ａ、３００ｂ、３００ｃが設けられており、ダクト３００ａ、３００ｂ、３００ｃには、上述の混合空気が流入される。
【００５７】
そして、ダクト３００ａの空気上流部には、二つの流入口を選択的に開閉する吹出口切換ドア５６ａが設けられており、この吹出口切換ドア５６ａは、駆動手段としてのサーボモータ５６０ａによって、開閉駆動される。
【００５８】
ここで、一方の流入口は、ダクト３００ａの空気入口をなすものであり、ダクト３００ａは、運転席に着座する運転者の下半身に向けて混合空気をフット吹出口１００ａから吹き出す。
【００５９】
二つの流入口のうち他方の流入口は、ダクト３００ｂ、３００ｃの空気入口をなすものであり、ダクト３０２ａは、運転席に着座する運転者の上半身に向けて混合空気をフェイス吹出口１００ｃから吹き出す。一方、ダクト３００ｃには、他方の流入口から流入される混合空気以外に、後述する冷風バイパス通路３０４ａを通して流入される冷却空気が流れ込む。
【００６０】
そして、ダクト３００ｃに流れ込む冷却空気および混合空気が混合されてこの混合された空気がダクト３００ｄ、３００ｅのいずれかに流れ込む。このことにより、ダクト３００ｄ、３００ｅのそれぞれに流れ込む空気の温度が調節されることになる。
【００６１】
ダクト３００ｄ、３００ｅの空気上流側には、双方の流入口を選択的に開閉する吹出口切換ドア５９ａが設けられており、この吹出口切換ドア５９ａは、駆動手段としてのサーボモータ５９０ａによって、開閉駆動される。
【００６２】
ここで、ダクト３００ｄは、サイドグリル吹出口１００ｂから運転者の上半身の胴部に向けて空気を吹き出す。サイドグリル吹出口１００ｂは、インストルメントパネルにおいて車両左右方向の一端側（運転席側）にて車両後方に向けて開口されている。
【００６３】
ダクト３００ｅは、ドア吹出口１００ａから運転者の下腕部付近に冷風を吹き出すものであり、ドア吹出口１００ａは、運転席側のドアにおいて運転者に向けて開口形成されている。
【００６４】
また、冷風バイパス通路３０４ａは、ヒータコア５４及びバイパス通路５１ａに対して、エバポレータ５３により冷却された冷風をバイパスさせるものであり、冷風バイパス通路３０４ａの流入口には、冷風の流入量を調整するために開閉する冷風バイパスドア５８ａが設けられている。そして、冷風バイパスドア５８ａには、駆動手段としてのサーボモータ５８０ａが連結されており、冷風バイパスドア５８ａの開度は、サーボモータ５８０ａによって調整される。
【００６５】
また、車両用空調装置には、空調ユニット５制御するための電子制御装置（以下、エアコンＥＣＵ９０という）が設けられている。
【００６６】
エアコンＥＣＵ９０には、車室外の外気温度Ｔａｍを検出する外気温度センサ８１、エンジンの冷却水温度Ｔｗを検出する冷却水温度センサ８２、車室内に照射される日射量Ｔｓを検出する日射センサ８３、前席運転席側の空調ゾーンの空気温度ＴｒＦｒを検出する温度センサ８６、および、運転席に着座する運転者の表面温度を検出する赤外線温度センサ８４が接続されている。
【００６７】
赤外線温度センサ８４は、図２に示すように、車室内上側（具体的には、車室内天井部）で、かつ、車両左右方向のほぼ中央部（車両幅方向のほぼ中央部）にて運転席側に向けて運転者を見下ろすように配置されている。
【００６８】
また、赤外線温度センサ８４は、図３に示すようにマトリックス状に配置されて、かつ運転者の表面温度を複数部位に分割してそれぞれ非接触で検出する検出素子Ｒ１〜Ｒ３６と、図示しない赤外線吸収膜とを有するサーモパイル式の温度センサである。なお、以下、赤外線温度センサ８４をマトリックス状ＩＲセンサ８４ともいう。
【００６９】
ここで、赤外線吸収膜は、運転者の表面の各部位から入射される赤外線を熱に変換するものであり、検出素子Ｒ１〜Ｒ３６は、個々に熱電対部をなすもので、赤外線吸収膜により変換される熱を部位毎に電力に変換する。このことにより、マトリックス状ＩＲセンサ８４は、運転者の表面温度から入力される赤外線量の変化に対応した起電力変化を運転者表面の部位毎の温度変化として検出することになる。
【００７０】
また、エアコンＥＣＵ９０には、エバポレータ５３から吹き出される冷風空気の温度（以下、蒸発器吹出温度ＴｅＦｒという）を検出する温度センサ８０、および、前部運転席側の空調ゾーンの希望温度ＴｓｅｔＦｒＤｒが乗員により設定される温度設定スイッチ９が接続されている。
【００７１】
さらに、エアコンＥＣＵ９０には、赤外線温度センサ８４の前側に配置されるＣＣＤカメラ８５が接続されており、ＣＣＤカメラ８５は、車室内天井部のうち車両前側にて、かつ、車両左右方向の中央部付近（具体的には、ルームミラー付近）にて、運転席側に向けて配置されるものであって、運転者を示す画像を運転者の前側から検出する。この運転者を示す画像は、例えば、図４中の符号Ａ４に示すように、画像処理によって運転者の輪郭を抽出するのに用いられる。
【００７２】
一方、エアコンＥＣＵ９０は、アナログ／デジタル変換器、マイクロコンピュータ等を有して構成される周知のものであり、センサ８１、８２、８３、８４、８６およびスイッチ９からそれぞれ出力される出力信号は、アナログ／デジタル変換器によりアナログ／デジタル変換されてマイクロコンピュータにそれぞれ入力されるように構成されている。
【００７３】
マイクロコンピュータは、ＲＯＭ、ＲＡＭなどのメモリ、およびＣＰＵ（中央演算装置）等から構成される周知のもので、イグニッションスイッチがオンされたときに、図示しないバッテリから電力供給される。
【００７４】
次に、本実施形態の車両用空調装置の作動について図５〜図１１を用いて説明する。図５は、エアコンＥＣＵ９０の自動空調制御処理を示す制御フローチャートであり、図７、図８は、図５中の目標吹出温度算出の詳細を示す制御フローチャートである。
【００７５】
エアコンＥＣＵ９０は、図５〜図７に示すフローチャートにしたがって、メモリに記憶されるコンピュータプログラムを実行する。このコンピュータプログラムは、イグニッションスイッチがオンされたときにその実行が開始されるものである。
【００７６】
先ず、ＲＡＭに記憶されるデータなどをリセット（初期化）すると（Ｓ１００）、センサ８０、８１、８２、８３、８４、８６の検出信号をアナログ／デジタル変換したデジタル信号（ＴｅＦｒ、Ｔａｍ、Ｔｗ、Ｔｓなど）を読み込む。これに加えて、マトリックス状ＩＲセンサ８４により部位毎の温度を検出させて、かつ、ＣＣＤカメラ８５により運転者を示す画像を撮像させるとともに、温度設定スイッチ９により設定される希望温度を読み込む。
【００７７】
次に、このように読み込んだデジタル信号、希望温度、ＣＣＤカメラ８５により撮影される画像、および、マトリックス状ＩＲセンサ８４による部位毎の検出温度などを用いて、図６、図７に示す目標吹出温度算出（Ｓ２００〜Ｓ３１０）を実行する
具体的には、マトリックス状ＩＲセンサ８４による部位毎の検出温度の全てが例えば、一定範囲内に入っているとき、ノイズなどの外乱の影響を受けておらず、マトリックス状ＩＲセンサ８４による部位毎の検出温度が正常に入手されたとして、Ｓ２００でＹＥＳと判定する（Ｓ２００）。
【００７８】
次に、ＣＣＤカメラ８５により撮影される画像が正常に入手されたか否かを判定する（Ｓ２１０）。例えば、当該画像を構成する画素毎の明るさが、一定範囲内に入っているとき、ノイズなどの外乱の影響を受けておらず、画像が正常に入手されたとして、Ｓ２１０でＹＥＳと判定する。
【００７９】
続いて、ＣＣＤカメラ８５により撮影される画像を信号処理して、乗員（運転者）の輪郭（例えば、図４中の符号Ａ４参照）を抽出し、この抽出される輪郭と、マトリックス状ＩＲセンサ８４による部位毎の検出温度（検出値）とを合成する（Ｓ２３０）。
【００８０】
このことにより、運転者について上半身、下半身の温度分布、すなわち胴部、下腕部、上腕部等の部位毎に温度を求めることができる。ここで、ＣＣＤカメラ８５は、上述のように、車室内天井部のうち車両前側にて、かつ、車両左右方向の中央部付近にて、運転席側に向けて配置されて運転者の画像を運転者（乗員）の正面側から撮影する。
【００８１】
ここで、ＣＣＤカメラ８５及び足（下半身）の間には、ステアリングが存在して、当該ＣＣＤカメラ８５では、運転者の足部（下半身：図４中の符号Ａ１参照）は、ステアリングが邪魔になり、撮影できない。そこで、本実施形態では、ＣＣＤカメラ８５の検出画像を用いず、マトリックス状ＩＲセンサ８４による部位毎の検出温度とＣＣＤカメラ８５およびマトリックス状ＩＲセンサ８４の配置関係だけで、マトリックス状ＩＲセンサ８４の検出素子Ｒ１〜Ｒ３６のうち、下半身の温度を検出する検出素子Ｒ９〜Ｒ１２を決定し、この検出素子Ｒ９〜Ｒ１２の各検出温度を下半身の部位毎の温度とする。
【００８２】
次に、外気温度Ｔａｍが例えば１５℃以上であるか否かを判定する（Ｓ２４０）。そして、外気温度Ｔａｍが例えば１５℃以上であるときＹＥＳと判定して、Ｓ２７０の判定処理に移行して、乗員のドア温度側温度と、車両左右方向中央側温度とを比較する。
【００８３】
具体的には、検出素子Ｒ１３〜Ｒ１６、Ｒ３、Ｒ５、Ｒ７の個々の検出温度を平均して、この平均温度を乗員のドア温度側温度とし、Ｒ２７、Ｒ２８、Ｒ３３〜Ｒ３５、Ｒ２、Ｒ４、Ｒ６の個々の検出温度を平均して、この平均温度を乗員の車両左右方向中央側温度とする。
【００８４】
そして、ドア温度側温度の方が車両左右方向中央側温度に比べて高いときＳ２７０でＹＥＳと判定して、Ｓ２８０に移行する。ここで、サーボモータ５９０ａにより吹出口切換ドア５９ａを駆動して、ダクト３００ｄの流入口を開け、かつ、ダクト３００ｅの流入口を閉じる。
【００８５】
このことにより、ダクト３００ｄを通過する冷風がドア吹出口１００ａから乗員のドア側（例えば、図４中符号Ａ２に示すように、運転者の下腕部辺り）に向けて吹き出されることになる。その後、Ｓ２９０の処理に移行する。
【００８６】
なお、Ｓ２７０でＹＥＳと判定されない限り、吹出口切換ドア５９ａにより、ダクト３００ｄの流入口を閉じて、かつ、ダクト３００ｅの流入口を開けられているので、サイドグリル吹出口１００ａから運転者の胴部付近に冷風を吹き出されている。
【００８７】
一方、Ｓ２４０において、外気温度Ｔａｍが例えば１５℃未満であるときＮＯと判定して、Ｓ２５０の判定処理に移行して、乗員の上腕部温度と下腕部温度とを比較する。
【００８８】
ここで、検出素子Ｒ２７の検出温度を上腕部温度とし、検出素子Ｒ３６の検出温度を下腕部温度とし、上腕部温度に比べて下腕部温度の方が高いとき、運転者が半袖の服を着衣していると判定して、後述するＳ３００の処理で用いられる乗員温度としては、検出素子毎の検出温度に「−３℃」を加えて半袖の服に合うように補正した温度を用いるとし（Ｓ２６０）、その後、Ｓ２９０の処理に移行する。
【００８９】
一方、Ｓ２７０において、ドア温度側温度に比べて車両中央側温度の方が低いときＮＯと判定して、Ｓ２９０に移行する。
【００９０】
このＳ２９０の判定処理では、外気温度Ｔａｍが例えば２５℃以上であるか否かを判定して、外気温度Ｔａｍが例えば２５℃未満であるときＮＯと判定すると、Ｓ３００の処理に移行して、乗員検出温度ＴｉｒＦｒＤｒを後述するように算出する。
【００９１】
一方、Ｓ２９０において、外気温度Ｔａｍが例えば２５℃以上であるとしてＹＥＳと判定すると、Ｓ３１０の処理に移行して、乗員上半身温度（ＦｒＤｒ上半身温度）と、乗員下半身温度（ＦｒＤｒ下半身温度）と、を比較する。
【００９２】
具体的には、検出素子Ｒ１、Ｒ２、Ｒ３、Ｒ４、Ｒ５、Ｒ６、Ｒ７、Ｒ８の個々の検出温度の平均値を乗員上半身温度とし、検出素子Ｒ９、Ｒ１０、Ｒ１１、Ｒ１２の個々の検出温度の平均値を乗員下半身温度として、「乗員下半身温度＋５℃」に比べて「乗員上半身温度」が高いか否かを判定して、「乗員下半身温度＋５℃」に比べて「乗員上半身温度」が高いと判定したとき、Ｓ３２０の処理に移行する。ここで、先立つ吹出口モードの判定処理にてフェイスモードが判定されていた場合には、バイレベルモード（Ｂ／Ｌ）に切り替える。このことにより、運転者の上半身だけでなく、下半身にも冷風が吹き出されることになる。なお、「＋５℃」は、乗員下半身温度の補正数であり、「＋５」以外の任意の値を設定することができる。
【００９３】
続いて、Ｓ３００の処理では、検出素子Ｒ１、Ｒ２、Ｒ３、Ｒ４、Ｒ５、Ｒ６、Ｒ７、Ｒ８、Ｒ９、Ｒ１０、Ｒ１１、Ｒ１２の個々の検出温度の平均値を算出し、この平均値を乗員温度ＴｉｒＦｒＤｒとする。
【００９４】
但し、上述のＳ２５０において、上腕部温度に比べて下腕部温度の方が高いと判定したときには、運転者が半袖の服を着衣していると判定して、検出素子Ｒ１、Ｒ２…Ｒ１１、Ｒ１２の個々の検出温度の平均値に「−３℃」を加えて半袖の服に合うように補正した温度を乗員温度ＴｉｒＦｒＤｒとする。
【００９５】
以上のように算出される乗員温度ＦｒＤｒを用いて、前席運転席側の空調ゾーンに吹き出す空気の目標吹出温度ＴＡＯを、メモリに予め記憶される数式１に基づいて演算する（Ｓ１１０）。
【００９６】
ＴＡＯ＝ＫｓｅｔＦｒＤｒ×ＴｓｅｔＦｒＤｒ
−Ｋｉｒ×ＴｉｒＦｒＤｒ−ＫｒＦｒ×ＴｒＦｒ
−ＫｓＦｒ×ＴｓＦｒＤｒ−Ｋａｍ×Ｔａｍ＋ＣＦｒＤｒ…（数式１）
ここで、ＴｓｅｔＦｒＤｒは希望温度を示し、ＴｒＦｒは前席運転席側の空調ゾーンの空気温度を示し、Ｔｓは日射量を示し、Ｔａｍは外気温を示す。
【００９７】
なお、ＫｓｅｔＦｒＤｒ、Ｋｉｒ、ＫｒＦｒ、ＫｓＦｒ、Ｋａｍは、係数であり、ＣＦｒＤｒは定数である。
【００９８】
次に、メモリに予め記憶される数式２に基づいて、上述のごとく算出される目標吹出温度ＴＡＯを用いて、エアミックスドア５５ａの開度ＳＷを算出する。
【００９９】
ＳＷ＝｛（ＴＡＯ−Ｔｅ）／（Ｔｗ−Ｔｅ）｝×１００（％）
…（数式２）
ここで、この決定される開度ＳＷに基づき、サーボモータ５５０ａを制御して、エアミックスドア５５ａを駆動する（Ｓ１１０）。これに伴って、エアミックスドア５５ａのそれぞれの開度が、開度ＳＷに近づくようなる。
【０１００】
次に、図６に示す特性図を用いて冷風バイパスドア５８ａの目標開度ＲＨ１を求める（Ｓ１２０）。
【０１０１】
具体的には、検出素子Ｒ１３〜Ｒ１６、Ｒ３、Ｒ５、Ｒ７のそれぞれの検出温度の平均値を乗員の右側上半身温度として算出し、この算出される右側上半身温度と希望温度ＴｓｅｔＦｒＤｒとの温度差ΔＴｋを求めるとともに、この求められる温度差ΔＴｋと図６の特性とを基に、冷風バイパスドア５８ａの目標開度ＲＨ１を求める。
【０１０２】
なお、図６の特性では、温度差ΔＴｋが大きくなるにつれて、目標開度ＲＨ１が大きくなる。また、本実施形態では、冷風バイパス通路３０４ａの流入口を全開する場合を目標開度ＲＨ１＝１００％とし、冷風バイパス通路３０４ａの流入口を全閉する場合を目標開度ＲＨ１＝０％とする。  
【０１０３】
次に、メモリに予め記憶される図９の特性、および目標吹出温度ＴＡＯを用いて、フットモード（ＦＯＯＴ）、バイレベルモード（Ｂ／Ｌ）、フェイスモード（ＦＡＣＥ）のうち１つを、吹出口モードとして決める（Ｓ１３０）。
【０１０４】
そして、吹出口モードが決定されると、サーボモータ５６０ａを制御して、この決定される吹出口モードとなるように吹出口切換ドア５６ａを開閉させる。
【０１０５】
例えば、フットモードが決定されると、吹出口切換ドア５６ａによってダクト３００ａの流入口だけを全開して、フット吹出口１００ｄから空気を吹き出させる。
【０１０６】
一方、フェイスモードが決定されると、吹出口切換ドア５６ａによって、ダクト３００ａの流入口を全閉して、かつ、ダクト３００ｂ、ダクト３００ｃの流入口を全開して、フェイス吹出口１００ｃだけでなく、吹出口１００ａ、１００ｂの一方からも空気を吹き出させる。
【０１０７】
また、バイレベルモードが決定されると、吹出口切換ドア５６ａによって、ダクト３００ａ、３００ｂ、ダクト３００ｃの全ての流入口を開けて、フェイス吹出口１００ｃおよびフット吹出口１００ｄから空気を吹き出させる。
【０１０８】
次に、メモリに予め記憶される図１０の特性、および目標吹出温度ＴＡＯを用いて、空調ユニット５の内外気切換ドア５１の目標開度ＳＷ１を求める。
【０１０９】
すなわち、メモリに予め記憶される図１０の特性に基づき、平均値ＴＡＯに対応する内外気切換ドア５１の目標開度ＳＷ１を求めることになる。
【０１１０】
なお、本実施形態では、内気導入口５０ａを全閉し、外気導入口５０ｂを全開する場合を目標開度ＳＷ１＝１００％とし、内気導入口５０ａを全開し、外気導入口５０ｂを全閉する場合を目標開度ＳＷ１＝０％とする。
【０１１１】
このように目標開度ＳＷ１を決定すると、この目標開度ＳＷ１に基づき、サーボモータ５１ａを制御して、内外気切換ドア５１の開度を目標開度ＳＷ１に近づけるようにする（Ｓ１４０）。
【０１１２】
次に、メモリに予め記憶される図１１の特性、および目標吹出温度ＴＡＯに基づき、メモリに予め記憶される下記の数式３を用いて必要なブロア電圧ＶＭ（すなわち、必要な風量）を算出する。このようにブロア電圧ＶＭを算出すると、このブロア電圧ＶＭＦをブロアモータ５２ａに印加する（Ｓ１５０）。これに伴い、遠心式送風機５２が、空気流を発生させることになる。
【０１１３】
次に、蒸発器吹出温度ＴｅＦｒを一定温度に近づけるように自動車のエンジン及びコンプレッサの間にて連結される電磁クラッチを断続的に制御する（Ｓ１６０）。これに伴い、冷凍サイクル内を流れる冷媒の流量が制御されて、エバポレータ５３、６３の冷却性能が調整されることになる。
【０１１４】
その後、一定期間経過すると（Ｓ１７０：ＹＥＳ）、Ｓ１１０に移行して、目標吹出温度算出処理（Ｓ１０５）、エアミックスドア制御処理（Ｓ１１０）、冷風バイパスドア制御処理（Ｓ１２０）、吹出口モード切替制御処理（Ｓ１３０）、内外気切換ドア制御処理（Ｓ１４０）、ブロア制御処理（Ｓ１５０）、コンプレッサ制御処理（Ｓ１６０）が繰り返されることになる。
【０１１５】
以上により、空調ユニット５において、内気導入口５０ａおよび外気導入口５０ｂの少なくとも一方からダクト５０内に空気が導入される。この導入される空気は、エバポレータ５３を通過する際に冷媒と熱交換されて冷却される。
【０１１６】
ここで、エアミックスドア５５ａによって、ヒータコア５４を通過する空気量とバイパス通路５１ａを通過する空気量との割合が調節される。その後、ヒータコア５４を通過する空気とバイパス通路５１ａを通過する空気とが混合されて、空気温度が調節されることになる。この温度調節される空気が、上述のように決定される吹出口モードに対応して吹出口１００ｃ、１００ｄのいずれかから吹き出される。
【０１１７】
ここで、この温度調節された空気の一部と冷風バイパス通路３０４ａを通る空気とが混合されて、吹出口１００ａ、１００ｂのいずれかから車室内に吹き出されることになる。
【０１１８】
次に、本実施形態の作用効果について説明する。本実施形態の車両用空調装置は、車室内の空調状態を調整する空調ユニット５と、車室内の運転座席に着座する運転者の表面温度を複数部位に分割してそれぞれ非接触で検出する各検出素子Ｒ１〜Ｒ３６を有する赤外線温度センサ８４と、運転者の車両前側から運転者の画像を検出するＣＣＤカメラ８５と、ＣＣＤカメラ８５により検出される画像から運転者の輪郭を抽出して、この抽出された輪郭に赤外線温度センサ８４による検出素子毎の検出温度を合成して運転者の上半身および下半身の温度分布を求め、この求められた上半身および下半身の温度分布に基づき、車室内の空調状態を調整させるように空調ユニット５を制御するエアコンＥＣＵ９０と、を備えており、赤外線温度センサ８４は、乗員を見下ろすように配置されている。
【０１１９】
このように、赤外線温度センサ８４が、運転者の上半身の温度分布は勿論のこと、下半身の温度分布を推定でき、この上半身および下半身の温度分布に合う適切な空調を行うことができる。
【０１２０】
また、本実施形態では、赤外線温度センサ８４が、車室内天井部において車両左右方向のほぼ中央部にて運転席側に向けて運転者を見下ろすように配置されている。
【０１２１】
すなわち、赤外線温度センサ８４が、ステアリングの上側から垂直方向に対して斜めに運転者の表面温度を検出することになり、表面温度を検出するにあたり、ステアリングにより邪魔されることを未然に防ぎ得る。
【０１２２】
また、ＣＣＤカメラ８５を、車両左右方向の中央部に配置しているので、助手席に着座する乗員や後部席に着座する乗員の画像をも１つのＣＣＤカメラ８５により検出可能になる。
【０１２３】
また、運転者の上半身の温度に比べて下半身の温度の方が高いと判定したとき、バイレベルモードを実施して空調ユニット５から上半身だけでなく下半身に冷風を吹き出させるので、下半身を冷やして運転者を快適にすることができる。
【０１２４】
ここで、車室外の空気温度が一定温度（２５℃）以上であると判定したとき、上半身の温度に比べて下半身の温度の方が高いか否かを判定していので、車室外の空気温度が一定温度未満であるときに、誤って下半身を冷やすことを未然に防止することができる。
【０１２５】
さらに、乗員のうちドア側表面温度の方が、運転者の車両左右方向中央部側の表面温度に比べて高いとき、空調ユニット５から運転者の車両ドア側に冷風を吹き出させるので、運転者の車両ドア側を冷やして運転者を快適にすることができる。
【０１２６】
また、運転者の上腕部の表面温度に比べて下腕部の表面温度の方が高いとき、運転者が半袖の服を着衣していると判定して、赤外線温度センサ８４による検出素子毎の検出温度を半袖の服に合うように補正して、この補正された検出素子毎の検出温度を乗員の表面温度とする。
【０１２７】
このように、検出素子毎の検出温度を半袖の服に合うように補正した温度を、乗員の表面温度とするので、この表面温度に基づき、空調ユニット５により車室内の空調状態を調整させれば、半袖の服に合うように車室内の空調状態を調整させることができる。
【０１２８】
なお、赤外線温度センサ８４として、助手席側の乗員温度を検出するための別のセンサを採用する場合に、赤外線温度センサ８４を、上述のごとく、車室内上側にて車両左右方向の中央部に配置すると、運転席側の赤外線温度センサ８４と助手席側の赤外線温度センサ８４とを１つにパッケージにすることが可能になるので、運転席側の赤外線温度センサ８４と助手席側の赤外線温度センサ８４とを別々に採用する場合に比べて、コストダウンが可能になる。
【０１２９】
さらに、赤外線温度センサ８４を、車室内上側にて車両左右方向の中央部に配置すると、赤外線温度センサ８４としては、ドア側から離れた場所に位置することになる。したがって、車両への侵入者が赤外線温度センサ８４を覆うなどの不正な細工をして温度検出不能にすることを抑制することができる。
（第２実施形態）
本２実施形態では、ＣＣＤカメラ８５による撮影画像を、携帯電話からの要求に応じて、携帯電話に送信するようにする。
【０１３０】
この場合、図１２に示すように、エアコンＥＣＵ９０には、車載アンテナ９２を通して通信事業者の基地局１００との間で無線通信する電話ＥＣＵ９１が接続されており、基地局１００は、インターネット１０１などの通信ネットワークを介して、基地局１０２に通信する。そして、この基地局１０２は携帯電話１０３と無線通信するものである。
【０１３１】
以下、本実施形態の作動について図１３を用いて説明する。エアコンＥＣＵ９０は、図１３に示す制御フローチャートにしたがって、コンピュータプログラムを実行する。
【０１３２】
すなわち、エアコンＥＣＵ９０は、電話ＥＣＵ９１を介する携帯電話１０３と通信によって画像転送要求信号を受信したと判定したき（Ｓ４００：ＹＥＳ）、ＣＣＤカメラ８５による撮影画像が正常に入手されたか否かを判定する。例えば、例えば、当該画像を構成する画素毎の明るさが、一定範囲内に入っているとき、ノイズなどの外乱の影響を受けておらず、画像が正常に入手されたとして、Ｓ４１０でＹＥＳと判定する。これに伴い、ＣＣＤカメラ８５による撮影画像を送信させる。
【０１３３】
その後、撮影画像は、基地局１００、インターネット１０１、基地局１０２等を介して携帯電話１０３に送られる。そして、携帯電話１０３においてその表示パネル等で、撮影画像を表示させれば、車両のユーザが、車両から離れていても、車室内に泥棒などの侵入者の存在を確認することができる。
【０１３４】
なお、上述の第２実施形態では、ＣＣＤカメラ８５による撮影画像を携帯電話１０３に送信した例について説明したが、これに代えて、マトリックス状ＩＲセンサ８４による部位毎の検出温度を送信するようにしてもよい。これは、部位毎の検出温度を温度分布画像（熱分布画像）として携帯電話１０３の表示パネル等で表示させれば、温度分布画像により、人、すなわち侵入者の有無が判定することができるからである。
【０１３５】
また、これに代えて、ＣＣＤカメラ８５による撮影画像と、マトリックス状ＩＲセンサ８４による部位毎の検出温度との双方を、携帯電話１０３に送信するようにしてもよい。
【０１３６】
ここで、ＣＣＤカメラ８５およびマトリックス状ＩＲセンサ８４が別の箇所に配置されているので、侵入者がＣＣＤカメラ８５およびマトリックス状ＩＲセンサ８４に対して同時に細工をすることが不可能である。このため、侵入者がＣＣＤカメラ８５およびマトリックス状ＩＲセンサ８４の一方の塞ぐように細工しようとしても、他方により侵入者が検出されるので、車両のセキュリティを向上させ得る。
（第３実施形態）
本第３実施形態では、本発明に係る車両用空調装置を後席用空調装置に適用する例について図１４を用いて説明する。
【０１３７】
図１４は、本第実施形態の後席用空調装置の全体構成を示す図であり、図１４中、図１と同一符号は同一物を示す。当該後席用空調装置は、図１に示す車両用空調装置に対して、冷風バイパス通路３０４ａ、ダクト３００ｄ、３００ｅを削除して、後部座席の前後方向の位置を検出するスイッチＳＷ１、ＳＷ２を追加したものである。
【０１３８】
ここで、後部座席は、車両前後方向にスライドしてその位置が調整可能になっており、後部座席の位置が前側に設定されているときには、スイッチＳＷ１がオンする一方、後部座席の位置が後側に設定されているときには、スイッチＳＷ２がオンする。
【０１３９】
また、本実施形態では、マトリックス状ＩＲセンサ８４は、図１５に示すように、前部座席の後側にて後部座席の上側の天井部に位置して、かつ、車両左右方向の中央部に配置されて、後部座席に着座する乗員を見下して温度検出する。そして、マトリックス状ＩＲセンサ８４は、図１６に示すように、検出素子１〜１４を正方形状に並べて構成されている。
【０１４０】
次に、本実施形態の作動について図１７〜図１９を参照して説明する。エアコンＥＣＵ９０は、図１７に示す制御フローチャートにしたがって、コンピュータプログラムを実行する。図１９は図１７中の目標吹出温度算出処理（Ｓ５１０）の詳細を示すフローチャートである。
【０１４１】
先ず、初期設定を処理した後（Ｓ５００）、目標吹出温度を算出する（Ｓ５１０）。
【０１４２】
具体的には、スイッチＳＷ１、ＳＷ２から出力される信号に基づき、後部座席の位置（シート位置）が後側であると判定したとき、検出素子１〜１４の個々の検出温度のうち、乗員の肩部温度（図１８の上図中Ｖ３参照）として検出素子Ｒ６の検出温度を選択し、体部温度（図１８の上図中Ｖ２参照）として検出素子Ｒ５の検出温度を選択し、太腿温度（図１８の上図中Ｖ１参照）として検出素子Ｒ８の検出温度を選択する。
【０１４３】
そして、検出素子Ｒ５、Ｒ６、Ｒ８の平均値を乗員温度ＴｉｒＦｒＤｒとして、上述の第１実施形態と同様に目標吹出温度ＴＡＯを算出する（Ｓ５１１、Ｓ５１２、Ｓ５１４）。
【０１４４】
一方、スイッチＳＷ１、ＳＷ２から出力される信号に基づき、後部座席の位置（シート位置）が前側であると判定したとき、検出素子１〜１４の個々の検出温度のうち、乗員の肩部温度（図１８の下図中Ｖ３参照）として検出素子Ｒ５の検出温度を選択し、さらに、体部温度（図１８の下図中Ｖ２参照）として検出素子Ｒ４の検出温度を選択し、太腿温度（図１８の下図中Ｖ１参照）として検出素子Ｒ７の検出温度を選択する。
【０１４５】
そして、検出素子Ｒ５、Ｒ６、Ｒ７の平均値を乗員温度ＴｉｒＦｒＤｒとして、上述の第１実施形態と同様に目標吹出温度ＴＡＯを算出する（Ｓ５１１、Ｓ５１３、Ｓ５１４）。
【０１４６】
そして、このように算出される目標吹出温度ＴＡＯに基づき、エアミックスドア制御処理（Ｓ５２０）、ブロア制御処理（Ｓ５３０）、吹出口モード切替制御処理（Ｓ５４０）、内外気切換ドア制御処理（Ｓ５５０）、コンプレッサ制御処理（Ｓ５６０）、一定期間経過判定処理（Ｓ５７０）を実行する。
【０１４７】
なお、Ｓ５１０，Ｓ５２０、Ｓ５３０、Ｓ５４０、Ｓ５５０、Ｓ５６０、Ｓ５７０が、それぞれ、図１中のＳ１０５、Ｓ１１０、Ｓ１５０、Ｓ１３０、Ｓ１４０、Ｓ１６０、Ｓ１７０に相当する。
【０１４８】
次に、本実施形態の作用効果について述べると、ＩＲセンサ８４は、後部座席の上側天井部において車両左右方向の中央部から後部座席に着座する乗員を見下して温度検出するように配置されているので、マトリックス状ＩＲセンサ８４の視野内にリア側ウインドシールドが入ることなく、乗員の表面温度を検出することができる。したがって、ＩＲセンサ８４としては、例えば、リア側ウインドシールドに空調風を吹き出するデフ機能（防曇機能）の影響を受けなくなる。したがって、乗員の表面温度を正確に検出することができる。これに伴い、乗員温度に応じて、後部座席側の空調状態を良好に調整することができる。
【０１４９】
さらに、赤外線温度センサ８４は、乗員を見下して温度検出するように配置されているので、乗員の身長差に関わらず、検出素子Ｒ１〜Ｒ１５のうち、乗員の肩の表面温度を検出する検出素子Ｒ５が変わらず、固定されるので、予め肩の表面温度を検出する検出素子Ｒ５を決めおけば、後部座席の乗員の身長が代わっても、乗員の肩の表面温度が検出可能になる。
【０１５０】
また、本実施形態では、後部座席の前後方向の位置に応じて、肩部温度、体部温度、太腿温度などを選択しているので、後部座席の前後方向の位置が移動しても、肩部温度、体部温度、太腿温度などを推定することができる。
【０１５１】
また、マトリックス状ＩＲセンサ８４を、前部座席の前側に配置すると、前部座席の位置や前部座席の乗員の姿勢により、マトリックス状ＩＲセンサ８４の検出範囲内に前部座席の位置や前部座席の乗員が入り、マトリックス状ＩＲセンサ８４としての検出誤差の発生を招く可能性がある。
【０１５２】
これに対して、本実施形態では、マトリックス状ＩＲセンサ８４を、前部座席の後側に配置するので、マトリックス状ＩＲセンサ８４の検出範囲内に前部座席の位置や前部座席の乗員が入ることを防止することができるので、マトリックス状ＩＲセンサ８４としての検出誤差の発生を抑制することができる。
【０１５３】
特に、前部座席に対して座席の表面温度を調整するシート空調装置（シート空調手段）が適用されている場合には、マトリックス状ＩＲセンサ８４の検出範囲内に座席表面が含まれると、乗員の表面温度と座席の表面温度とが大きく異なるので、マトリックス状ＩＲセンサ８４としての検出誤差の発生を招くことになるものの、本実施形態では、このような問題の発生を避けることが可能である。
【０１５４】
上述の第１実施形態では、ＣＣＤカメラ８５を図２に示すように、車室内天井部のうち車両前側にて、かつ、車両左右方向の中央部付近にて配置する例について示したが、これに代えて、図２０に示すように、ＣＣＤカメラ８５をインストルメントパネルの車両左右方向中央部にて、運転者に向けて配置するようにしてもよい。
【図面の簡単な説明】
【０１５５】
【図１】本発明に係る車両用空調装置の第１実施形態の概略構成を示す模式図である。
【図２】図１のマトリックス式ＩＲセンサの配置を示す模式図である。
【図３】図１のマトリックス式ＩＲセンサの構成を示す模式図である。
【図４】図２のマトリックス式ＩＲセンサの作動を説明するための図である。
【図５】図１のエアコンＥＣＵの制御処理を示すフローチャートである。
【図６】図１の制御処理の一部の処理を詳細に示すフローチャートである。
【図７】図１の制御処理の一部の処理を詳細に示すフローチャートである。
【図８】図１のエアコンＥＣＵにて冷風バイパスドアの開度を決めるための特性図である。
【図９】図１のエアコンＥＣＵにて吹出モードを決めるための特性図である。
【図１０】図１のエアコンＥＣＵにて内外気モードを決めるための特性図である。
【図１１】図１のエアコンＥＣＵにてブロア電圧を決めるための特性図である。
【図１２】本発明に係る車両用空調装置の第２実施形態の概略構成を示す模式図である。
【図１３】第２実施形態の制御処理の一部の処理を詳細に示すフローチャートである。
【図１４】本発明に係る車両用空調装置の第３実施形態の概略構成を示す模式図である。
【図１５】第３実施形態のマトリックス式ＩＲセンサの配置を示す模式図である。
【図１６】第３実施形態のマトリックス式ＩＲセンサの構成を示す模式図である。
【図１７】第３実施形態のエアコンＥＣＵの制御処理を示すフローチャートである。
【図１８】第３実施形態のマトリックス式ＩＲセンサの作動を説明するための図である。
【図１９】図１７の制御処理の一部の処理を詳細に示すフローチャートである。
【図２０】本発明の変形例を示す図である
【符号の説明】
【０１５６】
５０…空調ユニット、
９０…エアコンＥＣＵ、
８４…マトリックス式ＩＲセンサ。
１００ａ〜１００ｄ…吹出口
【図１】
2005104221.tif 000003
【図２】
2005104221.tif 000004
【図３】
2005104221.tif 000005
【図４】
2005104221.tif 000006
【図５】
2005104221.tif 000007
【図６】
2005104221.tif 000008
【図７】
2005104221.tif 000009
【図８】
2005104221.tif 000010
【図９】
2005104221.tif 000011
【図１０】
2005104221.tif 000012
【図１１】
2005104221.tif 000013
【図１２】
2005104221.tif 000014
【図１３】
2005104221.tif 000015
【図１４】
2005104221.tif 000016
【図１５】
2005104221.tif 000017
【図１６】
2005104221.tif 000018
【図１７】
2005104221.tif 000019
【図１８】
2005104221.tif 000020
【図１９】
2005104221.tif 000021
【図２０】
2005104221.tif 000022